(57)【要約】【課題】  低コストで商品の品揃えを増加させる。【解決手段】  仲介装置１０は、メモリと、通信部８８と、制御部８２とを含む。メモリは、識別情報および在庫情報を、商品の販売者に対応付けて記憶する。通信部８８は、店主の端末２０からの受託情報と、顧客の端末４０からの発注情報と、決済機関の端末５０からの決済情報とを受信し、顧客の端末４０と販売元の端末３０とに対する、商品の在庫数に応じた取引の結果を表わす情報と、決済機関の端末５０に対する、決済の依頼を表わす情報とを送信する。制御部８２は、受託情報および発注情報のいずれかを通信部８８が受信すると、通信部８８が受信した情報の内容に応じて、メモリが記憶する情報の内容を更新する。【選択図】        図１
2007094543.tif 000002
【特許請求の範囲】
【請求項１】
商品を識別する情報である識別情報および前記商品の在庫数を表わす情報である在庫情報を、前記商品の販売者に対応付けて記憶するための第１の記憶手段と、
受託者である前記販売者の端末からの、販売者となることを表わす情報である受託情報と、顧客の端末からの、前記発注を表わす情報である発注情報と、決済機関の端末からの、決済の結果を表わす決済情報とを受信するための受信手段と、
前記受託情報および発注情報のいずれかを前記受信手段が受信すると、前記受信手段が受信した情報の内容に応じて、前記第１の記憶手段が記憶する情報の内容を更新するための第１の更新手段と、
前記顧客の端末と商品の発送者の端末とに対する、前記商品の在庫数に応じた取引の結果を表わす情報と、前記決済機関の端末に対する、決済の依頼を表わす情報とを送信するための送信手段とを含む、仲介装置。
【請求項２】
前記第１の記憶手段は、委託元である前記販売者が販売の受託を許可したか否かを表わす許可情報と共に、前記商品の販売者に対応付けて、前記識別情報および在庫情報を記憶するための手段を含み、
前記受信手段は、販売の受託を許可したことを前記許可情報が表わす商品に対する、前記受託情報を受信するための手段を含む、請求項１に記載の仲介装置。
【請求項３】
前記識別情報および在庫情報を記憶するための手段は、前記委託元である販売者が販売の受託を許可したか否かを商品ごとに表わす情報と共に、前記販売者に対応付けて、前記識別情報および在庫情報を記憶するための手段を含む、請求項２に記載の仲介装置。
【請求項４】
前記受信手段は、前記受託情報と、前記発注情報と、前記決済情報との他に、前記許可情報を受信するための手段を含み、
前記仲介装置は、前記受信手段が許可情報を受信すると、前記受信手段が受信した許可情報の内容に応じて、前記第１の記憶手段が記憶する許可情報の内容を更新するための第２の更新手段をさらに含む、請求項２に記載の仲介装置。
【請求項５】
前記受信手段は、前記受託情報として、販売者となる商品の範囲を表わす情報を受信するための手段を含む、請求項１に記載の仲介装置。
【請求項６】
前記販売者となる商品の範囲を表わす情報を受信するための手段は、同じカテゴリに属する商品を表わす情報を受信するための手段を含む、請求項５に記載の仲介装置。
【請求項７】
前記仲介装置は、
売上金を表わす情報を、販売者に対応付けて記憶するための第２の記憶手段と、
前記決済情報を前記受信手段が受信すると、前記決済情報の内容に応じて、発注を受けた前記販売者および発注を受けた商品の委託元である前記販売者についての、前記第２の記憶手段が記憶する情報の内容を更新するための第２の更新手段とをさらに含む、請求項１に記載の仲介装置。
【請求項８】
前記仲介装置は、
売上金を表わす情報と発注の日時を表わす情報とを、前記販売者に対応付けて記憶するための第２の記憶手段と、
前記第２の記憶手段が記憶した発注の日時を表わす情報に基づき、同一の顧客の端末からの発注が、前記受託者である販売者に続いて、前記委託元である販売者に対してあったか否かを判断するための判断手段と、
同一の顧客の端末からの発注が、前記受託者である販売者に続いて、前記委託元である販売者に対してあった場合、前記受託者である販売者の売上が増加するように、前記第２の記憶手段が記憶する情報の内容を更新するための第３の更新手段とをさらに含む、請求項１に記載の仲介装置。
【請求項９】
前記仲介装置は、
売上金を表わす情報と顧客ごとの割引の限度額の増減を表わす情報とを、前記販売者に対応付けて記憶するための第２の記憶手段と、
前記決済情報を前記受信手段が受信すると、前記決済情報の内容に応じて、発注を受けた販売者および発注を受けた商品の委託元である販売者のいずれかにおける割引の限度額が増加するように、前記第２の記憶手段が記憶する情報の内容を更新するための第４の更新手段とをさらに含む、請求項１に記載の仲介装置。
【請求項１０】
販売者の端末と仲介装置とを含むオンラインショッピングシステムであって、
前記仲介装置は、
商品を識別する情報である識別情報および前記商品の在庫数を表わす情報である在庫情報を、前記商品の販売者に対応付けて記憶するための第１の記憶手段と、
受託者である前記販売者の端末からの、販売者となることを表わす情報である受託情報と、顧客の端末からの、前記発注を表わす情報である発注情報と、決済機関の端末からの、決済の結果を表わす決済情報とを受信するための受信手段と、
前記受託情報および発注情報のいずれかを前記受信手段が受信すると、前記受信手段が受信した情報の内容に応じて、前記第１の記憶手段が記憶する情報の内容を更新するための第１の更新手段と、
前記顧客の端末と商品の発送者の端末とに対する、前記商品の在庫数に応じた取引の結果を表わす情報と、前記決済機関の端末に対する、決済の依頼を表わす情報とを送信するための送信手段とを含む、オンラインショッピングシステム。
【請求項１１】
商品を識別する情報である識別情報および前記商品の在庫数を表わす情報である在庫情報を、前記商品の販売者に対応付けて記憶する第１の記憶ステップと、
受託者である販売者の端末からの、販売者となることを表わす情報である受託情報と、顧客の端末からの、前記発注を表わす情報である発注情報と、決済機関の端末からの、決済の結果を表わす決済情報とを受信する受信ステップと、
前記受託情報および発注情報のいずれかを前記受信ステップにおいて受信すると、前記受信ステップにおいて受信した情報の内容に応じて、前記第１の記憶ステップにおいて記憶する情報の内容を更新する第１の更新ステップと、
前記顧客の端末と商品の発送者の端末とに対する、前記商品の在庫数に応じた取引の結果を表わす情報と、前記決済機関の端末に対する、決済の依頼を表わす情報とを送信する送信ステップとを含む各ステップをコンピュータに実行させるための仲介プログラム。
【請求項１２】
商品を識別する情報である識別情報および前記商品の在庫数を表わす情報である在庫情報を、前記商品の販売者に対応付けて記憶する第１の記憶ステップと、
受託者である販売者の端末からの、販売者となることを表わす情報である受託情報と、顧客の端末からの、前記発注を表わす情報である発注情報と、決済機関の端末からの、決済の結果を表わす決済情報とを受信する受信ステップと、
前記受託情報および発注情報のいずれかを前記受信ステップにおいて受信すると、前記受信ステップにおいて受信した情報の内容に応じて、前記第１の記憶ステップにおいて記憶する情報の内容を更新する第１の更新ステップと、
前記顧客の端末と商品の発送者の端末とに対する、前記商品の在庫数に応じた取引の結果を表わす情報と、前記決済機関の端末に対する、決済の依頼を表わす情報とを送信する送信ステップとを含む各ステップをコンピュータに実行させるための仲介プログラムを記録したコンピュータ読取り可能な記録媒体。
【発明の詳細な説明】
【技術分野】
【０００１】
本発明は、仲介装置、オンラインショッピングシステム、仲介プログラム、および仲介プログラムを記録したコンピュータ読取り可能な記録媒体に関し、特に、卸売・小売業、飲食店業のための仲介装置、オンラインショッピングシステム、仲介プログラム、および仲介プログラムを記録したコンピュータ読取り可能な記録媒体に関する。
【背景技術】
【０００２】
従来のオンラインショッピングシステムは、商品を複数の商品カテゴリに分類し、商品カテゴリをユーザ端末に表示する商品カテゴリ表示装置と、商品カテゴリ表示装置により表示された商品カテゴリから購入を希望する商品の商品カテゴリをユーザに選択させる商品カテゴリ選択装置と、商品カテゴリ選択装置で選択された商品カテゴリに属する商品のリストをユーザ端末に表示する商品表示装置と、商品表示装置により表示された商品のリストから購入を希望する商品をユーザに選択させる商品選択装置とを備える。
【０００３】
この発明によると、実在の店舗が不要なので、わずかな資金で事業を展開できる。
なお、以上本発明についての従来の技術を、出願人の知得した一般的技術情報に基づいて説明したが、出願人の記憶する範囲において、出願前までに先行技術文献情報として開示すべき情報を出願人は有していない。
【発明の開示】
【発明が解決しようとする課題】
【０００４】
しかし、前述の発明では、商品の品揃えの増加にコストがかかるという問題点がある。
本発明は上述の問題点を解決するためになされたものであって、その目的は、低コストで商品の品揃えを増加させる仲介装置、オンラインショッピングシステム、仲介プログラム、および仲介プログラムを記録したコンピュータ読取り可能な記録媒体を提供することにある。
【課題を解決するための手段】
【０００５】
上記目的を達成するために、本発明のある局面に従うと、仲介装置は、第１の記憶手段と、受信手段と、第１の更新手段と、送信手段とを含む。第１の記憶手段は、商品を識別する情報である識別情報および商品の在庫数を表わす情報である在庫情報を、商品の販売者に対応付けて記憶する。受信手段は、受託者である販売者の端末からの、販売者となることを表わす情報である受託情報と、顧客の端末からの、発注を表わす情報である発注情報と、決済機関の端末からの、決済の結果を表わす決済情報とを受信する。第１の更新手段は、受託情報および発注情報のいずれかを受信手段が受信すると、受信手段が受信した情報の内容に応じて、第１の記憶手段が記憶する情報の内容を更新する。送信手段は、顧客の端末と商品の発送者の端末とに対する、商品の在庫数に応じた取引の結果を表わす情報と、決済機関の端末に対する、決済の依頼を表わす情報とを送信する。
【０００６】
また、上述の第１の記憶手段は、委託元である販売者が販売の受託を許可したか否かを表わす許可情報と共に、商品の販売者に対応付けて、識別情報および在庫情報を記憶するための手段を含むことが望ましい。併せて、受信手段は、販売の受託を許可したことを許可情報が表わす商品に対する、受託情報を受信するための手段を含むことが望ましい。
【０００７】
もしくは、上述の識別情報および在庫情報を記憶するための手段は、委託元である販売者が販売の受託を許可したか否かを商品ごとに表わす情報と共に、販売者に対応付けて、識別情報および在庫情報を記憶するための手段を含むことが望ましい。
【０００８】
もしくは、上述の受信手段は、受託情報と、発注情報と、決済情報との他に、許可情報を受信するための手段を含むことが望ましい。併せて、仲介装置は、受信手段が許可情報を受信すると、受信手段が受信した許可情報の内容に応じて、第１の記憶手段が記憶する許可情報の内容を更新するための第２の更新手段をさらに含むことが望ましい。
【０００９】
また、上述の受信手段は、受託情報として、販売者となる商品の範囲を表わす情報を受信するための手段を含むことが望ましい。
【００１０】
もしくは、上述の販売者となる商品の範囲を表わす情報を受信するための手段は、同じカテゴリに属する商品を表わす情報を受信するための手段を含むことが望ましい。
【００１１】
また、上述の仲介装置は、第２の記憶手段と、第２の更新手段とをさらに含むことが望ましい。第２の記憶手段は、売上金を表わす情報を、販売者に対応付けて記憶する。第２の更新手段は、決済情報を受信手段が受信すると、決済情報の内容に応じて、発注を受けた販売者および発注を受けた商品の委託元である販売者についての、第２の記憶手段が記憶する情報の内容を更新する。
【００１２】
また、上述の仲介装置は、第２の記憶手段と、判断手段と、第３の更新手段とをさらに含むことが望ましい。第２の記憶手段は、売上金を表わす情報と発注の日時を表わす情報とを、販売者に対応付けて記憶する。判断手段は、第２の記憶手段が記憶した発注の日時を表わす情報に基づき、同一の顧客の端末からの発注が、受託者である販売者に続いて、委託元である販売者に対してあったか否かを判断する。第３の更新手段は、同一の顧客の端末からの発注が、受託者である販売者に続いて、委託元である販売者に対してあった場合、受託者である販売者の売上が増加するように、第２の記憶手段が記憶する情報の内容を更新する。
【００１３】
また、上述の仲介装置は、第２の記憶手段と、第４の更新手段とをさらに含むことが望ましい。第２の記憶手段は、売上金を表わす情報と顧客ごとの割引の限度額の増減を表わす情報とを、販売者に対応付けて記憶する。第４の更新手段は、決済情報を受信手段が受信すると、決済情報の内容に応じて、発注を受けた販売者および発注を受けた商品の委託元である販売者のいずれかにおける割引の限度額が増加するように、第２の記憶手段が記憶する情報の内容を更新する。
【００１４】
本発明の他の局面に従うと、オンラインショッピングシステムは、販売者の端末と、仲介装置とを含む。仲介装置は、第１の記憶手段と、受信手段と、第１の更新手段と、送信手段とを含む。第１の記憶手段は、商品を識別する情報である識別情報および商品の在庫数を表わす情報である在庫情報を、商品の販売者に対応付けて記憶する。受信手段は、受託者である販売者の端末からの、販売者となることを表わす情報である受託情報と、顧客の端末からの、発注を表わす情報である発注情報と、決済機関の端末からの、決済の結果を表わす決済情報とを受信する。第１の更新手段は、受託情報および発注情報のいずれかを受信手段が受信すると、受信手段が受信した情報の内容に応じて、第１の記憶手段が記憶する情報の内容を更新する。送信手段は、顧客の端末と商品の発注者の端末とに対する、商品の在庫数に応じた取引の結果を表わす情報と、決済機関の端末に対する、決済の依頼を表わす情報とを送信する。
【００１５】
本発明の他の局面に従うと、仲介プログラムは、第１の記憶ステップと、受信ステップと、第１の更新ステップと、送信ステップとを含む各ステップをコンピュータに実行させる。第１の記憶ステップは、商品を識別する情報である識別情報および商品の在庫数を表わす情報である在庫情報を、商品の販売者に対応付けて記憶する。受信ステップは、受託者である販売者の端末からの、販売者となることを表わす情報である受託情報と、顧客の端末からの、発注を表わす情報である発注情報と、決済機関の端末からの、決済の結果を表わす決済情報とを受信する。第１の更新ステップは、受託情報および発注情報のいずれかを受信ステップにおいて受信すると、受信ステップにおいて受信した情報の内容に応じて、第１の記憶ステップにおいて記憶する情報の内容を更新する。送信ステップは、顧客の端末と商品の発送者の端末とに対する、商品の在庫数に応じた取引の結果を表わす情報と、決済機関の端末に対する、決済の依頼を表わす情報とを送信する。
【００１６】
本発明の他の局面に従うと、記録媒体は、仲介プログラムを記録したコンピュータ読取可能な記録媒体である。仲介プログラムは、第１の記憶ステップと、受信ステップと、第１の更新ステップと、送信ステップとを含む各ステップをコンピュータに実行させる。第１の記憶ステップは、商品を識別する情報である識別情報および商品の在庫数を表わす情報である在庫情報を、商品の販売者に対応付けて記憶する。受信ステップは、受託者である販売者の端末からの、販売者となることを表わす情報である受託情報と、顧客の端末からの、発注を表わす情報である発注情報と、決済機関の端末からの、決済の結果を表わす決済情報とを受信する。第１の更新ステップは、受託情報および発注情報のいずれかを受信ステップにおいて受信すると、受信ステップにおいて受信した情報の内容に応じて、第１の記憶ステップにおいて記憶する情報の内容を更新する。送信ステップは、顧客の端末と商品の発送者の端末とに対する、商品の在庫数に応じた取引の結果を表わす情報と、決済機関の端末に対する、決済の依頼を表わす情報とを送信する。
【発明の効果】
【００１７】
本発明に係る仲介装置、オンラインショッピングシステム、仲介プログラム、および仲介プログラムを記録したコンピュータ読取り可能な記録媒体は、低コストで商品の品揃えを増加させる。
【発明を実施するための最良の形態】
【００１８】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１９】
図１を参照して、本実施の形態に係るオンラインショッピングシステムは、仲介装置１０と、店主の端末２０と、販売元の端末３０とを含む。仲介装置１０と、店主の端末２０と、販売元の端末３０とは、ネットワーク６０を介して接続されている。本実施の形態に係るオンラインショッピングシステムは、顧客の端末４０および決済機関の端末５０とネットワーク６０を介して接続されている。仲介装置１０は、店主すなわち販売者と顧客との商取引を仲介する装置である。店主の端末２０は、受託者である販売者（店主）が仲介装置１０に情報を送信し、かつ仲介装置１０から情報を受信するための端末である。販売元の端末３０は、委託元である販売者（販売元）が仲介装置１０に情報を送信し、かつ仲介装置１０から情報を受信するための端末である。顧客の端末４０は顧客が発注などを表わす情報を送信し、かつ決済の結果などを受信するための端末である。決済機関の端末５０は、銀行やクレジット会社などの決済機関が、決済の依頼を受信し、かつ決済の結果を送信するための端末である。
【００２０】
仲介装置１０は、処理ブロック７２と、会員データベース７４と、販売元データベース７６とを含む。処理ブロック７２は、仮想店舗を構築するブロックである。会員データベース７４は、顧客に関する情報からなるデータベースである。販売元データベース７６は、店主に関する情報からなるデータベースである。
【００２１】
処理ブロック７２は、制御部８２と、商品データベース８４と、受注データベース８６と、通信部８８とを含む。制御部８２は、商品データベース８４と受注データベース８６などの内容を更新する。制御部８２は、仲介装置１０全体を制御する装置でもある。商品データベース８４は、商品を識別する情報である識別情報および商品の在庫数を表わす情報である在庫情報などを含む。受注データベース８６は、売上などを含む。通信部８８は、店主の端末２０、販売元の端末３０、顧客の端末４０、および決済機関の端末５０と通信する。本実施の形態の場合、通信部８８は、通信しようとする情報を、送信元を特定する情報および通信先を特定する情報と共に、パケットにより通信する。
【００２２】
図２を参照して、本実施の形態に係る仲介装置１０を実現するためのコンピュータハードウェアは、ＣＰＵ１００と、メモリ１０２と、ハードディスク１０４と、キーボード１０６と、ディスプレイ１０８と、ＣＤ−ＲＯＭ駆動装置１１０と、ＬＡＮインターフェイス１１２と、ネットワークインターフェイス１１４とを含む。ＣＰＵ１００は図２に示すコンピュータハードウェア全体を制御する。メモリ１０２は、ＣＰＵ１００が制御に用いるデータを記憶する。ハードディスク１０４は、本実施の形態に係る仲介装置１０を実現するためのプログラムや上述した各データベースのデータを記憶する。本実施の形態の場合、上述したデータベースは、それぞれハードディスク１０４の専用の領域に記憶された状態で存在する。キーボード１０６は、オペレータがキー操作により情報を入力する。ディスプレイ１０８は、映像を表示することにより情報を出力する。ＣＤ−ＲＯＭ駆動装置１１０は、本実施の形態に係る仲介装置１０を実現するためのコンピュータプログラムをＣＤ−ＲＯＭ１２０から読取る。ＬＡＮインターフェイス１１２は、コンピュータハードウェア同士で通信する。本実施の形態に係る仲介装置１０は、複数台のコンピュータハードウェアが、ＬＡＮインターフェイス１１２を介して互いに通信し合うことにより実現される仮想装置である。ネットワークインターフェイス１１４は、ネットワーク６０を介して店主の端末２０、販売元の端末３０、顧客の端末４０、および決済機関の端末５０とを通信する装置である。
【００２３】
この仲介装置１０は、複数のコンピュータハードウェアとＣＰＵ１００により実行されるソフトウェアとにより実現される。一般的にこうしたソフトウェアは、ＣＤ−ＲＯＭ１２０などの記録媒体に格納されて流通し、ＣＤ−ＲＯＭ駆動装置１１０などにより記録媒体から読取られてハードディスク１０４に一旦格納される。さらにメモリ１０２に読出されて、上述したＣＰＵ１００により実行される。上述したコンピュータのハードウェア自体は一般的なものである。したがって、本発明の最も本質的な部分は、ＣＤ−ＲＯＭ１２０などの記録媒体に記録されたソフトウェアである。なお、コンピュータ自体の動作は周知であるので、ここではその詳細な説明は繰返さない。
【００２４】
図３および図４を参照して、本実施の形態に係る商品データベース８４は、識別情報（本実施の形態の場合、商品名およびＩＤが識別情報に該当する）と、画像ファイルと、説明と、価格と、仕様と、納期と、販売元と、カテゴリと、出店と、在庫数とを含む。図３は「○×△」という店舗に関する商品データベース８４を表わす図である。図４は「□２□」という店舗に関する商品データベース８４を表わす図である。図３および図４から明らかなように、本実施の形態の場合、商品データベース８４は、個々の情報が店舗すなわち販売者に対応付けられている。すべての商品データベース８４は、１つのデータベースの一部分である。「商品名」は、商品の名称の情報である。「ＩＤ」は商品ごとに設定されたＩＤの情報である。「画像ファイル」は画像ファイルのファイル名の情報である。画像ファイルの本体は図示しないデータベースに記憶されている。「説明」は商品についての説明の情報である。「価格」は商品ごとの価格の情報である。「仕様」は商品の仕様の情報である。「納期」は商品の納期の情報である。「販売元」は販売元を表わす情報である。「カテゴリ」は商品の属するカテゴリを表わす情報である。「出店」は委託元である販売者が販売の受託を許可したか否かを商品ごとに表わす情報である。「在庫」は商品ごとの在庫数を表わす情報である。
【００２５】
図５および図６を参照して、受注データベース８６は、商品名と、ＩＤと、数量と、受注日と、会員ＩＤと、販売店と、使用ポイントと、付与ポイントと、売上額とを含む。図５は「○×△」という店舗に関する受注データベース８６を表わす図である。図６は「□２□」という店舗に関する受注データベース８６を表わす図である。商品データベース８４と同様に、受注データベース８６を構成する各情報も販売者に対応付けられている。受注データベース８６も、１つのデータベースの一部分である。「数量」は発注があった商品の数量を表わす情報である。「受注日」は発注の日時を表わす情報である。「会員ＩＤ」は発注した顧客の会員ＩＤの情報である。「販売店」は発注を受けた販売者の名称を表わす情報である。「使用ポイント」は顧客が発注にあたり消費したポイントを表わす情報である。「付与ポイント」は販売によって顧客に付与されたポイントを表わす情報である。本実施の形態において、「ポイント」は、顧客ごとの割引の限度額を表わす情報である。「付与ポイント」と「使用ポイント」とは、顧客ごとの、割引の限度額の増減を表わす情報である。「商品名」は商品の名称を表わす情報である。
【００２６】
図７を参照して、会員データベース７４は、会員ＩＤと、会員名と、住所と、メールアドレスと、登録店とを含む。「会員ＩＤ」は顧客ごとに設定された固有のＩＤを表わす情報である。「会員名」は会員の氏名を表わす情報である。「住所」は会員の住所を表わす情報である。「メールアドレス」は会員のメールアドレスを表わす情報である。「登録店」は顧客がメールマガジンの配信を希望した販売者の名称を表わす情報である。
【００２７】
図８を参照して、仲介装置１０で実行されるプログラムは、出店の許可に関し、以下のような制御を実行する。
【００２８】
ステップ２００（以下、ステップをＳと略す。）にて、仲介装置１０の通信部８８は、販売元（委託元である販売者）の端末３０から、他の店に出店を許可する旨の情報を受信する。他の店に出店を許可する旨の情報は、委託元である販売者が販売の受託を許可したか否かを表わす情報の一種である。Ｓ２０２にて、仲介装置１０の制御部８２は、販売元の端末３０についての商品データベース８４を更新する。商品データベース８４は、メモリ１０２の商品データベース８４用の領域に記憶されている。これにより、商品データベース８４の「出店」欄の内容が「可」に更新される。「出店」欄の内容が更新されるので、ＣＰＵ１００は、ネットワークインターフェイス１１４が受信した許可情報の内容に応じて、商品データベース８４の内容を更新することとなる。Ｓ２０４にて、通信部８８は、店主の端末２０に出店が許可された旨の情報を送信する。出店が許可された旨の情報は、出店が許可された商品あるいは出店が許可された商品のカテゴリを表わす情報を含む。
【００２９】
図９を参照して、仲介装置１０で実行されるプログラムは、商品の選択に関し、以下のような制御を実行する。
【００３０】
Ｓ２１０にて、通信部８８は、店主（受託者である販売者）の端末２０からの、他の店の商品を選択する旨の情報（販売者となることを表わす情報である受託情報）を受信する。受託情報は、１種類の商品を表わす情報であってもよいし、販売者となる商品の範囲を表わす情報であってもよい。販売者となる商品の範囲を表わす情報には、同じカテゴリに属する商品を表わす情報が含まれる。Ｓ２１２にて、制御部８２は、通信部８８が受信した情報の内容に応じて、受託情報を送信した店舗についての商品データベース８４の内容を更新する。これにより、その店舗の商品データベース８４に新たな商品についてのデータが追加される。Ｓ２１４にて、通信部８８は、Ｓ２１０の情報により選択された商品の販売元の端末３０に商品が選択する旨を送信する。
【００３１】
図１０、図１１、および図１２を参照して、仲介装置１０で実行されるプログラムは、取引に関し、以下のような制御を実行する。
【００３２】
Ｓ２２０にて、通信部８８は、顧客の端末４０からのアクセスを受信する。Ｓ２２２にて、通信部８８は、店舗のメニューを表わすデータを顧客の端末４０に対し送信する。本実施の形態の場合、店舗のメニューを表わすデータは、Ｗｅｂページデータとして送信される。Ｓ２２４にて、通信部８８は、顧客の端末４０から、顧客が選択した店舗のＩＤを受信する。
【００３３】
Ｓ２２６にて、制御部８２は、通信部８８に、自ら（実際にはメモリ１０２）が記憶するＷｅｂページデータのうち、顧客が希望する店舗のＷｅｂページデータを通信部８８に出力する。本実施の形態の場合、店舗のＷｅｂページの内容は、販売元から委託された商品の有無に関わらず同一である。提示される商品が商品データベース８４に基づき選択されているためである。ただし、１つのカテゴリに属する商品すべての販売を受託した場合、Ｗｅｂページのレイアウトのうち受託したカテゴリに属する商品を提示する部分は、販売元のレイアウトと同一とすることができる。販売元のレイアウトと同一にする場合、制御部８２は、販売元のレイアウトの情報を読出し、店舗のＷｅｂページデータに挿入する。Ｗｅｂページデータが読出されると、通信部８８は、制御部８２が出力したＷｅｂページデータを顧客の端末４０に送信する。Ｓ２２８にて、通信部８８は、顧客の端末４０から、発注情報を受信する。本実施の形態の場合、発注情報は、購入する商品の指定と商品の購入を決定した旨とを表わす情報である。
【００３４】
Ｓ２３０にて、通信部８８は、制御部８２の制御に応じて、決済機関の端末５０に対し、決済の依頼を表わす情報を送信する。決済を依頼する旨の情報は、顧客と販売元との間における代金の決済の依頼を表わす。決済機関の端末５０は、通信部８８に対し、決済情報を送信する。通信部８８は、決済機関の端末５０からの決済情報を受信する。決済情報は、顧客と販売元との間における決済の結果を表わす。決済のため、通信部８８は、顧客の端末４０から、決済を依頼するために必要な情報を予め受信している。
【００３５】
Ｓ２３２にて、制御部８２は、通信部８８が決済機関の端末５０から受信した情報に基づき、決済が完了したか否かを判断する。決済が完了したと判断した場合（Ｓ２３２にてＹＥＳ）、処理はＳ２３４へと移される。もしそうでないと（Ｓ２３２にてＮＯ）、処理はＳ２４０へと移される。
【００３６】
Ｓ２３４にて、通信部８８は、商品の発送者の端末（本実施の形態の場合は販売元。ただし発送の担当者が別にいる場合、その担当者の端末であってもよい。）に対し商品の発送を依頼する旨の情報を送信する。商品の発送を依頼する旨の情報が送信されると、通信部８８は、顧客の端末４０に対し、決済が完了し、商品の販売が成立した旨の情報を送信する。
【００３７】
Ｓ２３６にて、制御部８２は、決済の内容に応じて、受注データベース８６の「使用ポイント」欄および「付与ポイント」欄の値を更新する。制御部８２は、発注を受けた販売者および発注を受けた商品の委託元である販売者についての、「使用ポイント」欄および「付与ポイント」欄の値を更新する。決済額の何パーセントをポイントの増加量にするかは販売者が各々決定する。これにより、制御部８２は、決済情報を通信部８８が受信すると、決済額が０円の場合を除き、決済情報の内容に応じて、受注データベース８６の内容を更新する。受注データベース８６の内容は、発注を受けた販売者および発注を受けた商品の委託元である販売者のいずれかにおける割引の限度額が増加するように更新される。
【００３８】
Ｓ２３８にて、制御部８２は、発注があった店舗についての受注データベース８６に発注があった商品データを追加する。これにより、制御部８２は、決済情報を通信部８８が受信すると、通信部８８が受信した情報に内容に応じて、発注を受けた販売者についての、受注データベース８６の内容を更新することとなる。Ｓ２４０にて、通信部８８は、顧客の端末４０に対し、決済できなかった旨の情報を送信する。
【００３９】
Ｓ２４１にて、制御部８２は、発注された商品についてのコミッションフラグの値が「０」か否かを判断する。発注された商品についてのコミッションフラグの値が「０」と判断した場合には（Ｓ２４１にてＹＥＳ）、処理はＳ２４２へと移される。もしそうでないと（Ｓ２４１にてＮＯ）、処理はＳ２６１へと移される。
【００４０】
Ｓ２４２にて、制御部８２は、発注された商品が他の店舗から出店された商品か（販売元と販売者とが相違するか）否かを判断する。他の店舗から出店された商品と判断した場合には（Ｓ２４２にてＹＥＳ）、処理はＳ２４４へと移される。もしそうでないと（Ｓ２４２にてＮＯ）、処理はＳ２５６へと移される。
【００４１】
Ｓ２４４にて、制御部８２は、発注された商品のデータを販売元の店舗の受注データベース８６に追加する。これにより、制御部８２は、決済情報を通信部８８が受信すると、通信部８８が受信した情報に内容に応じて、発注を受けた商品の委託元である販売者についての、受注データベース８６の内容を更新することとなる。
【００４２】
Ｓ２４６にて、制御部８２は、会員データベース７４を参照することにより、商品を発注した顧客が販売元の店舗のメールマガジンの購読者であるか否かを判断する。購読者であると判断した場合には（Ｓ２４６にてＹＥＳ）、処理はＳ２６４へと移される。もしそうでないと（Ｓ２４６にてＮＯ）、処理はＳ２４８へと移される。Ｓ２４８にて、通信部８８は、発注した顧客の端末４０に対し、メールマガジンの購読を提案する旨のＷｅｂページデータを送信する。
【００４３】
Ｓ２５０にて、通信部８８は、顧客の端末４０から返信を受信する。返信を受信すると、制御部８２は、通信部８８がメールマガジンの購読を申込む旨の情報を受信したか否かを判断する。購読を申込む旨の情報を受信したと判断した場合には（Ｓ２５０にてＹＥＳ）、処理はＳ２５２へと移される。もしそうでないと（Ｓ２５０にてＮＯ）、処理はＳ２６４へと移される。Ｓ２５２にて、通信部８８は、顧客の端末４０との間で、メールマガジンの購読に必要な情報を通信する。Ｓ２５４にて、制御部８２は、会員データベース７４に配信用のデータを登録する。
【００４４】
Ｓ２５６にて、制御部８２は、会員データベース７４を参照することにより、メールマガジンの購読者か否かを判断する。メールマガジン購読者であると判断した場合には（Ｓ２５６にてＹＥＳ）、処理はＳ２５８へと移される。もしそうでないと（Ｓ２５６にてＮＯ）、処理はＳ２６４へと移される。
【００４５】
Ｓ２５８にて、制御部８２は、受注があった店舗の受注データベース８６と販売元の受注データベース８６とが含む情報に基づき、同一の顧客の端末４０からの発注が、受託者である販売者に続いて、委託元である販売者に対してあったか否かを判断する。同一の顧客の端末４０からの発注が、受託者である販売者に続いて、委託元である販売者に対してあったと判断した場合には（Ｓ２５８にてＹＥＳ）、処理はＳ２６０へと移される。もしそうでないと（Ｓ２５８にてＮＯ）、処理はＳ２６４へと移される。
【００４６】
Ｓ２６０にて、制御部８２は、各店舗の受注データベース８６を参照することにより、顧客が他の店舗を介さずに商品を購入するのが初めてか否かを判断する。初めてと判断した場合には（Ｓ２６０にてＹＥＳ）、処理はＳ２６１へと移される。もしそうでないと（Ｓ２６０にてＮＯ）、処理はＳ２６４へと移される。Ｓ２６１にて、制御部８２は、発注された商品についてのコミッションフラグの値を「１」にする。
【００４７】
Ｓ２６２にて、制御部８２は、顧客が最後に商品を購入した店舗の受注データベース８６にコミッションを追加する。これにより、制御部８２は、同一の顧客の端末４０からの発注が、受託者である販売者に続いて、委託元である販売者に対してあった場合、受託者である販売者の売上が増加するように、受注データベース８６の内容を更新することとなる。Ｓ２６４にて、制御部８２は、販売された商品の在庫数を減少させるように、商品データベース８４の「在庫」欄を更新する。
【００４８】
Ｓ２６６にて、通信部８８は、購入を終了する旨の情報を受信したか否かを判断する。購入を終了する旨の情報を受信したと判断した場合（Ｓ２６６にてＹＥＳ）、処理はＳ２６８へと移される。もしそうでないと（Ｓ２６６にてＮＯ）、処理はＳ２２２へと移される。Ｓ２６８にて、通信部８８は、顧客の端末４０との接続を切断する。これにより、更新が終了することとなる。
【００４９】
図１３および図１８を参照して、以上のような構造およびフローチャートに基づく、仲介装置１０の動作について説明する。
【００５０】
通信部８８は、販売元の端末３０（店舗名「○×△」）から、他の店に出店を許可する旨の情報を受信する（Ｓ２００）。情報が受信されると、制御部８２は、商品データベース８４を更新する（Ｓ２０２）。商品データベース８４が更新されると、通信部８８は、店主の端末２０に出店が許可された旨の情報を送信する（Ｓ２０４）。
【００５１】
出店が許可された旨の情報が送信されると、通信部８８は、店主の端末２０（店舗名「□２□」）からの、受託情報を受信する（Ｓ２１０）。受託情報を通信部８８が受信すると、制御部８２は、通信部８８が受信した情報の内容に応じて、受託情報を送信した店舗についての商品データベース８４の内容を更新する（Ｓ２１２）。図１３において、店舗「○×△」から店舗「□２□」へ「ジャケット出店」という枠が移動するように描かれていることはこの処理を表わす。図１４は、店舗「□２□」の商品データベース８４に店舗「○×△」を販売元とする商品「ジャケット」のデータが追加されていることを表わす図である。商品データベース８４が更新されると、通信部８８は、選択された商品の販売元の端末３０に商品が選択された旨を送信する（Ｓ２１４）。
【００５２】
その後、通信部８８は、顧客の端末４０からのアクセスを受信する（Ｓ２２０）。アクセスが受信されると、通信部８８は、店舗のメニューのデータを顧客の端末４０に送信する（Ｓ２２２）。データが送信されると、通信部８８は、顧客端末４０から選択した店舗（店舗「□２□」）のＩＤを受信する（Ｓ２２４）。図１３において、「顧客の端末」欄の「アクセス」から店舗「□２□」欄の「返信」までがこれらの処理を表わす。
【００５３】
店舗のＩＤが受信されると、通信部８８は店舗「□２□」のＷｅｂページデータを送信する（Ｓ２２６）。図１３において店舗「□２□」欄の「返信」から「顧客の端末」欄の「商品の選択」への矢印はこの処理を表わす。
【００５４】
Ｗｅｂページデータが送信されると、通信部８８は、発注情報を受信する（Ｓ２２８）。図１３において、「顧客の端末」欄の「商品の選択」から店舗「□２□」欄の「送信」までの矢印はこの処理を表わす。発注情報が受信されると、通信部８８は、決済機関の端末５０との間で、決済のために通信する（Ｓ２３０）。決済のための通信が完了すると、制御部８２は決済が完了したか否かを判断する（Ｓ２３２）。この場合、決済が完了したとすると（Ｓ２３２にてＹＥＳ）、通信部８８は販売元の端末３０に対し発送を依頼する旨の情報を送信する（Ｓ２３４）。これにより、ネットワークインターフェイス１１４は、顧客の端末４０と商品の発送者（本実施の形態の場合は販売元）の端末３０とに対する、商品の在庫数に応じた取引の結果を表わす情報を送信することとなる。図１３において、店舗「□２□」欄の「送信」から「銀行などの端末」欄の「決済」および店舗「□２□」欄の「送信」へ経て「販売元の端末」欄の「受信」へ至る矢印はこの処理を表わす。
【００５５】
発送を依頼する旨の情報が送信されると、制御部８２は、受注データベース８６の「使用ポイント」欄および「付与ポイント」欄の値を更新する（Ｓ２３６）。値が更新されると、制御部８２は、店舗「□２□」についての受注データベース８６に「ジャケット」の商品データを追加する（Ｓ２３８）。これにより、制御部８２は、発注情報をネットワークインターフェイス１１４が受信すると、通信部８８が受信した情報の内容に応じて、メモリ１０２が記憶する情報である受注データベース８６の内容を更新することとなる。商品データが追加されると、制御部８２は、発注された商品についてのコミッションフラグの値が「０」か否かを判断する（Ｓ２４１）。この場合、コミッションフラグの値が「０」とすると（Ｓ２４１にてＹＥＳ）、制御部８２は、「ジャケット」が他の店舗から出店された商品か否かを判断する（Ｓ２４２）。この場合、「ジャケット」は店舗「○×△」から出店された商品なので（Ｓ２４２にてＹＥＳ）、制御部８２は、「ジャケット」の商品データを店舗「○×△」の受注データベース８６に追加する（Ｓ２４４）。図１３における店舗「○×△」欄および店舗「□２□」欄の「売上データ」は商品データの追加処理を表わす。図１５および図１６は、「ジャケット」の商品データが追加された後の、店舗「○×△」および店舗「□２□」の受注データベース８６の内容を表わす図である。
【００５６】
商品のデータが追加されると、制御部８２は顧客がメールマガジンの購読者か否かを判断する（Ｓ２４６）。この場合、メールマガジンの購読者ではないとすると（Ｓ２４６にてＹＥＳ）、通信部８８は、発注した顧客の端末４０に対し、購読を提案するＷｅｂページデータを送信する（Ｓ２４８）。Ｗｅｂページデータが送信されると、通信部８８は、顧客の端末４０から返信を受信する。返信を受信すると、制御部８２は、返信がメールマガジンの購読を申込む旨の情報か否かを判断する（Ｓ２５０）。この場合、購読を申込む旨の情報とすると（Ｓ２５０にてＹＥＳ）、通信部８８は、顧客の端末４０との間で、メールマガジンの購読に必要な情報を通信する（Ｓ２５２）。情報が通信されると、制御部８２は、会員データベース７４に配信用のデータを登録する（Ｓ２５４）。図１３の店舗「○×△」欄の「Ｗｅｂ」および「顧客の端末」欄の「メルマガ申込」を経て店舗「□２□」欄の「登録」に至る矢印は、これらの処理を表わす。図１７は、「登録店」欄にデータが登録された後の会員データベース７４の内容を表わす。
【００５７】
データが登録されると、制御部８２は、商品データベース８４の「在庫」欄を更新する（Ｓ２６４）。図１３の店舗「○×△」欄および店舗「□２□」欄の「在庫データ」と記載された枠はこの処理を表わす。
【００５８】
「在庫」欄が更新されると、制御部８２は、ネットワークインターフェイス１１４が購入を終了する旨を受信したか否かを判断する（Ｓ２６６）。この場合、購入を終了する旨を受信したとすると（Ｓ２６６にてＮＯ）、ネットワークインターフェイス１１４は更新を終了する（Ｓ２６８）。
【００５９】
その後、同一の顧客が再び仲介装置１０にアクセスしたとする。Ｓ２２２〜Ｓ２４１の処理を経て、制御部８２は、店舗「○×△」に発注された商品「コート」が他の店舗から出店された商品か否かを判断する（Ｓ２４２）。この場合、図３より、商品「コート」は他の店舗から出店された商品ではないので（Ｓ２４２にてＮＯ）、制御部８２は、会員データベース７４を参照することにより、メールマガジンの購読者か否かを判断する（Ｓ２５６）。この場合、メールマガジン購読者なので（Ｓ２５６にてＹＥＳ）、制御部８２は、同一の顧客の端末４０からの発注が、受託者である販売者に続いて、委託元である販売者に対してあったか否かを判断する（Ｓ２５８）。この場合、同一の顧客の端末４０からの発注が、店舗「□２□」に続いて、店舗「○×△」に対してあったので（Ｓ２５８にてＹＥＳ）、制御部８２は、顧客が店舗「□２□」を介さずに商品を購入するのが初めてか否かを判断する（Ｓ２６０）。この場合、初めてとすると（Ｓ２６０にてＹＥＳ）、制御部８２は、発注された商品についてのコミッションフラグの値を「１」にする（Ｓ２６１）。コミッションフラグの値が「１」になると、制御部８２は、店舗「□２□」の受注データベース８６にコミッションを追加する（Ｓ２６２）。図１８は、同一の顧客が再度仲介装置１０にアクセスした時以降の処理を表わす図である。図１９および図２０は、顧客が店舗「○×△」で「コート」を購入した結果、店舗「□２□」に「コート」の売上としてコミッションが追加されたことを表わす図である。
【００６０】
以上のようにして、本実施の形態に係る仲介装置は、販売元が提供する商品を、あたかも販売先の商品であるかのように提示させ、かつ販売させることができる。販売元が提供する商品が、あたかも販売先の商品であるかのように提示され、かつ販売されるので、各販売先は品揃えを増加させることができる。品揃えを増加させることができるので、各販売先は顧客を増加させることができる。特に市場では品薄な商品を販売する場合、顧客を大幅に増加させる可能性がある。
【００６１】
また、本実施の形態に係る仲介装置は、販売元が提供する商品が、あたかも販売先の商品であるかのように提示され、かつ販売されるので、販売先は、在庫を持っていなくても、顧客に在庫を持っているように感じさせることができる。
【００６２】
また、本実施の形態に係る仲介装置は、販売元が提供する商品が、あたかも販売先の商品であるかのように提示され、かつ販売されるので、販売先に、単にロゴやデザインだけがことなるＷｅｂページではない、独自性の高い仮想店舗を開設させることができる。
【００６３】
また、本実施の形態に係る仲介装置は、販売元が提供する商品の販売を通じて、顧客を囲込むことができる。
【００６４】
また、本実施の形態に係る仲介装置は、ポイントの差別化を通じて他の販売先との差別化を図らせることができる。
【００６５】
また、本実施の形態に係る仲介装置は、ある販売先で商品を購入した顧客が販売元で商品を購入した場合、販売元から販売先へ手数料を支払わせるための情報を提供する。これにより、販売先は、自らの顧客が販売元で商品を購入した場合にも、顧客が販売先自身から直接商品を購入した場合と同様の利益を得ることができる。直接商品を購入した場合と同様の利益が得られるので、販売先は販売元の商品の販売に強い意欲を持つ。販売先が販売元の商品の販売に強い意欲を持つので、商品の販売力が増大する。
【００６６】
また、変形例として、商品データベース８４における「出店」は、委託元である販売者が販売の受託を許可したか否かを表わす情報であれば、特に具体的な情報の内容は制限されない。たとえば、「出店」は、委託元である販売者が販売の受託を許可したか否かを商品のカテゴリごとに表わす情報であってもよい。
【００６７】
また、変形例として、本実施の形態に係る仲介装置１０は、性能のよい１台のコンピュータハードウェアにより実現されてもよい。１台のコンピュータハードウェアにより本実施の形態に係る仲介装置１０が実現される場合、仲介装置１０は、１台のコンピュータハードウェアとＣＰＵ１００により実行されるソフトウェアとにより実現される。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６９】
【図１】本発明の実施の形態に係るオンラインショッピングシステムの全体構成図である。
【図２】本発明の実施の形態に係る中継装置を実現するためのコンピュータハードウェアの制御ブロック図である。
【図３】本発明の実施の形態に係る商品データベースを表わす第１の図である。
【図４】本発明の実施の形態に係る商品データベースを表わす第２の図である。
【図５】本発明の実施の形態に係る受注データベースを表わす第１の図である。
【図６】本発明の実施の形態に係る受注データベースを表わす第２の図である。
【図７】本発明の実施の形態に係る会員データベースの内容を表わす図である。
【図８】本発明の実施の形態に係る許可処理の制御の手順を示すフローチャートである。
【図９】本発明の実施の形態に係る選択処理の制御の手順を示すフローチャートである。
【図１０】本発明の実施の形態に係る取引処理の制御の手順を示す第１のフローチャートである。
【図１１】本発明の実施の形態に係る取引処理の制御の手順を示す第２のフローチャートである。
【図１２】本発明の実施の形態に係る取引処理の制御の手順を示す第３のフローチャートである。
【図１３】本発明の実施の形態に係る商品の取引の手順を表わす第１の図である。
【図１４】商品データベースに別の店舗を販売元とする商品のデータが追加されていることを表わす図である。
【図１５】商品データが追加された後の店舗「○×△」についての受注データベースの内容を表わす図である。
【図１６】商品データが追加された後の店舗「□２□」についての受注データベースの内容を表わす図である。
【図１７】メールマガジン登録後の会員データベースの内容を表わす図である。
【図１８】本発明の実施の形態に係る商品の取引の手順を表わす第２の図である。
【図１９】コミッションが追加された後の店舗「○×△」についての受注データベースの内容を表わす図である。
【図２０】コミッションが追加された後の店舗「□２□」についての受注データベースの内容を表わす図である。
【符号の説明】
【００７０】
１０  仲介装置、２０  店主の端末、３０  販売元の端末、４０  顧客の端末、５０  決済機関の端末、６０  ネットワーク、７２  処理ブロック、７４  会員データベース、７６  販売元データベース、８２  制御部、８４  商品データベース、８６  受注データベース、１００  ＣＰＵ、１０２  メモリ、１０４  ハードディスク、１０６  キーボード、１０８  ディスプレイ、１１０  ＣＤ−ＲＯＭ駆動装置、１１２  ＬＡＮインターフェイス、１１４  ネットワークインターフェイス、１２０  ＣＤ−ＲＯＭ。
【図１】
2007094543.tif 000003
【図２】
2007094543.tif 000004
【図３】
2007094543.tif 000005
【図４】
2007094543.tif 000006
【図５】
2007094543.tif 000007
【図６】
2007094543.tif 000008
【図７】
2007094543.tif 000009
【図８】
2007094543.tif 000010
【図９】
2007094543.tif 000011
【図１０】
2007094543.tif 000012
【図１１】
2007094543.tif 000013
【図１２】
2007094543.tif 000014
【図１３】
2007094543.tif 000015
【図１４】
2007094543.tif 000016
【図１５】
2007094543.tif 000017
【図１６】
2007094543.tif 000018
【図１７】
2007094543.tif 000019
【図１８】
2007094543.tif 000020
【図１９】
2007094543.tif 000021
【図２０】
2007094543.tif 000022